(57)【要約】【課題】蓄光顔料をより明るく発光できるようにして表示内容を鮮明に認識できるようにした表示板を提供する。【解決手段】光を反射する光反射層３を基板２に積層して設け、該光反射層３の表面に蓄光顔料４を塗布することにより、表示５を記載して表示板１を形成したものである。【選択図】    図１
2005025004.tif 000002
【特許請求の範囲】
【請求項１】
光を反射する光反射層を基板に積層して設け、該光反射層の表面に蓄光顔料を塗布することにより表示を記載したことを特徴とする表示板。
【請求項２】
前記表示が、文字，図形等からなる記号、又はキャラクターであることを特徴する請求項１に記載の表示板。
【請求項３】
前記表示の外縁に沿って縁取り部を設け、該縁取り部において前記光反射層を表面に露出させたことを特徴とする請求項１又は請求項２に記載の表示板。
【請求項４】
前記光反射層を、光反射シートによって構成したことを特徴とする請求項１乃至請求項３の何れか１項に記載の表示板。
【発明の詳細な説明】
【０００１】
【発明の属する技術分野】
この発明は、蓄光顔料によって文字，図形等からなる記号、又はキャラクターを表示した表示板に関するものである。
【０００２】
【従来の技術】
従来、蛍光塗料によって文字を表示した表示板が知られている。図４は、従来技術の表示板１００の正面図を示す。この表示板１００は、基板の表面に、蛍光塗料で文字１０１を表示して構成されている（例えば、特許文献１参照）。
【０００３】
【特許文献１】
特開平６−１１８８９０号公報
【０００４】
そして、このように構成された表示板１００においては、文字１０１の部分が蛍光塗料で構成されているため、夜間等においては、文字１０１の部分が発光することにより、該文字１０１を目視できる。このため、表示板１００は、例えば、ごみの不法投棄を防止することを呼び掛けるための看板として用いることができる。
【０００５】
【解決しようとする課題】
しかし、従来技術による表示板１００においては、蛍光塗料自体の発光能力によって文字１０１の発光する明るさが制限される。このため、仮に、同じ蛍光塗料を使用して文字１０１の部分を明るく発光させようとする場合には、蛍光塗料を塗布する面積を広くする必要がある。しかし、このように蛍光塗料を塗布する面積を広くした場合には、必然的に文字１０１の部分が広くなって表示板１００が大型化してしまって小型化できないため、当該表示板１００を狭い個所には設置できないという問題がある。
【０００６】
そこで、本発明は前記従来技術の問題に鑑みてなされたもので、その目的は、表示板を大型化することなく、文字，図形等の表示を一層明るく輝かせることのできる表示板を提供することにある。
【０００７】
【課題を解決するための手段】
請求項１に記載の表示板は、光を反射する光反射層を基板に積層して設け、該光反射層の表面に蓄光顔料を塗布して文字、図形等の表示を記載したので、該蓄光顔料から該表示板の正面側へ向けて進行する光の他に、該蓄光顔料から該表示板の裏面側へ向けて一旦進行した光も光反射層で反射された後に表示板の正面側へ向けて進行する。つまり、蓄光顔料が発光することにより、該蓄光顔料から発生した光は、無駄なく有効に、表示板の正面側へ向けて出射できるため、表示板の正面から該表示板を目視する者には、表示板に記載されている表示を一層明るく、且つ鮮明に目視することができる。
【０００８】
請求項２に記載の発明は、請求項１に記載の表示板において、表示が、文字，図形等からなる記号又はキャラクターであることを特徴するものである。このように構成することにより、該記号，キャラクターを明るく且つ、鮮明に目視できるため、該記号，キャラクターの意味を明確に認識させることができる。
【０００９】
請求項３に記載の発明は、請求項１又は請求項２に記載の表示板において、表示の外縁に沿って縁取り部を設けることにより前記光反射層を表面に露出させたことを特徴とするものである。これにより、前記表示の外縁は縁取り部によって縁取りされることになる。このように縁取りされた蓄光顔料によって形成された表示は鮮明に認識される。
【００１０】
請求項４に記載の発明は、請求項１乃至請求項４の何れか１項に記載の表示板において、光反射層を、光反射シートによって構成したことを特徴とするものである。このように構成すれば、該光反射シートを基板に貼付することにより、該光反射層を容易に形成することができ、表示板を容易に形成することができる。
【００１１】
以下に、本発明の実施形態について説明する。この実施形態に係る表示板１は、図１に示すように、プラスチック等で形成された基板２の表面に光反射層３が設けられている。前記光反射層３の表面には、蓄光顔料４を塗布することにより、該蓄光顔料４によって、図２に示すように、所定形状の表示５が記載されている。該表示５としては、例えば、図２に示すように、文字、図形等の記号やキャラクターが該当する。
【００１２】
該表示５の文字や図形を構成する各部分の表面に、透光性であって且つ色付きの塗料を塗布したり、或いは、色付きのテープを貼付等すれば、文字や図形の各部分を異なる色に色分けして発光させることができる。
【００１３】
又、前記光反射層３の表面には、装飾部６が設けられている。該装飾部６は、各種彩りの装飾用塗料を塗布して構成することにより、表示板１としての装飾的機能を高めることができる。
【００１４】
前記表示５の縁５ａと前記装飾部６との間には、縁取り部７が設けられている。該縁取り部７においては、前記蓄光顔料４及び装飾用塗料が塗布されないことにより、前記光反射層３が表面に露出している。該縁取り部７は、該表示５の縁５ａに沿って設けることにより、図２に示すように、該表示５を囲むように設けられているため、該表示５と略同様の形状をなしている。
【００１５】
前記光反射層３は、光反射シートによって構成することができる。該光反射シートは、基材シート８の表面に白色系の下地層９を積層し、該下地層９の表面にガラスビーズ１０を散布し、該ガラスビーズ１０の表面を透光性の表面保護層１１で覆った構成とすることができる。該光反射層３はその表面保護層１１を経て内部へ入射した光を外部へ反射する機能を有する構成である。
【００１６】
又、図２に示すように、前記基板２の縁に沿って枠取り部１２を設けることができる。該枠取り部１２においては、前記表示５及び装飾部６が設けられていないことにより、光反射層３が露出した構成になっている。
【００１７】
次に、作用について説明する。表示板１が室外に設置されている場合には、蓄光顔料４が太陽光を受光することによって、該蓄光顔料４が光エネルギを蓄光する。又、表示板１が室内に設置されている場合には、電灯からの光を蓄光顔料４が受光することによって、該蓄光顔料４が光エネルギを蓄光する。そして、夜間等において室内等に設けられている光源が消灯することにより、表示板１の周囲が暗くなった環境下では、蓄光顔料４に蓄光されている光エネルギによって発光している該蓄光顔料４を目視することにより、蓄光顔料４によって形作られている記号やキャラクタからなる表示５を認識できる。
【００１８】
ところで、例えば、該蓄光顔料４の一部分Ｓの発光によって該蓄光顔料４から出射する光には、図１中矢示のように蓄光顔料４から表示板１の正面側へ向けて進行する光Ａや、該蓄光顔料４から裏面側へ向けて進行する光Ｂがある。このように表示板１の正面側へ向けて進行する光Ａが、該表示板１を目視している者の目に入ることにより、発光している蓄光顔料４によって形作られた形状の文字、図形等の表示５を目視できて、該表示５の意味を認識できる。
【００１９】
更に、表示板１の裏面側へ向けて進行した光Ｂは該光反射シート３で反射された後に、表示板１の正面側へ向けて進行する光Ｃとなって、該表示板１を目視している者の目に入ることができる。このように、該蓄光顔料４の発光によって該蓄光顔料４から表示板１の裏面側へ向けて進行した光Ｂも、表示板１の正面側へ向かう光Ｃとなって表示板１を目視している人の目に入るため、発光している蓄光顔料４によって形作られた形状の記号やキャラクタからなる表示５を一層明るく、且つ、鮮明に目視できる。
【００２０】
然るに、従来技術の表示板においては、蛍光塗料の発光によって発生した光のうち、該蛍光塗料から表示板の正面側へ向けて進行する光は、該表示板を目視している人の目に入るが、該蛍光塗料から表示板の裏面側へ向けて進行する光は、該表示板の基板等によって吸収等されてしまうため、表示板を目視している人の目に入らない。
【００２１】
しかし、本実施形態においては、前述のように、蓄光顔料４から表示板１の正面側へ向けて進行する光Ａだけでなく、該蓄光顔料４から表示板１の裏面側へ向けて進行する光Ｂも該光反射シート３で反射された後に表示板１の正面側へ向けて進行する光Ｃとなって、該表示板１を目視している人の目に入ることになる。つまり、本実施形態においては、蓄光顔料４で発光した光は無駄なく表示板１の正面側へ向けて進行し、表示板１を目視している人の目に入るため、蓄光顔料４の発光を一層明るく、且つ鮮明に目視できる。
【００２２】
次に、本実施形態の表示板１を道路標識に用いた場合について説明する。夜間において、例えば、自動車のライトから出射した強力な光線が表示板１に照射したとする。この場合、当該ライトからの強力な光線によって表示板１の表示５が発光する。しかし、自動車のライトから出射した強力な光線が表示板１に照射してから、表示５を構成する蓄光顔料５が発光するまでには一定の時間を必要とする。つまり、表示５を形成する蓄光顔料４は光を一旦蓄光してから発光するため、蓄光顔料４は受光後、即座には発光できない。しかし、本実施形態の表示板１には、該縁取り部７において光反射層３が露出しているため、自動車のライトからの強力な光線は該縁取り部７において反射する。ところで、該縁取り部７は、表示５の縁取りをする様に該表示５の縁５ａに沿って設けられているため、該表示５の形状と略同形である。従って、運転者は自動車からの強力な光線を反射している該縁取り部７によって、表示５と同様の意味合いを即座に認識することができる。
【００２３】
そして、自動車のライトの照射が表示板１から外れて該表示板１を照射しなくなった場合には、縁取り部７からの反射光はなくなる反面、該ライトからの光エネルギを蓄光している蓄光顔料４が発光することにより、運転者は該蓄光顔料４によって形成されている表示５の意味を認識できる。
【００２４】
又、図２に示すように、表示板１の縁１ａの内側に沿って枠取り部１２が設けられているため、自動車のライトが表示板１に照射した場合、該枠取り部１２が該ライトからの強力な光線を反射することにより、表示板１の存在することを運転者に直ちに認識させることができる。
【００２５】
又、例えば、表示５として画数の多い漢字が蓄光顔料４で記載されているような場合や、或いは、図２中に示すように、文字を構成する一部に実際には隙間Ｋが存在したとしても、蓄光顔料４が発光した場合には、該蓄光顔料４が当該隙間Ｋの部分において、つながって認識され易い。この場合には、当該文字を正確に認識できない恐れがある。しかし、本実施形態においては、蓄光顔料４は縁取り部７によって縁取りされているため、該蓄光顔料４が発光した状態においても、該蓄光顔料４が前記隙間Ｋにおいてつながって認識されることはなく、当該隙間Ｋを鮮明に認識できる。その結果、蓄光顔料４によって記載されている文字を鮮明に認識することができる。
【００２６】
又、図３は表示板の変形例を示す。この表示板１においては、表示５を文字と風景画によって構成した場合を示す。
【００２７】
以上の説明においては、光反射層３を光反射シートによって形成した場合について説明したが、該光反射層３は、光を反射する特性を有する塗料を基板２上に塗布することにより形成することもできる。又、以上の実施形態においては、表示板１の縁に沿うように枠取り部１２を設けたが、該枠取り部１２を設けなくても、本発明の所期の目的は達成できる。本発明に係る表示板１は、看板や標識等に用いることができるものである。
【００２８】
【発明の効果】
以上説明したように、光を反射する光反射層を基板に積層して設け、該光反射層の表面に蓄光顔料を塗布して文字、図形等の表示を記載したので、該蓄光顔料から該表示板の正面側へ向けて進行する光の他に、該蓄光顔料から該表示板の裏面側へ向けて一旦進行した光も光反射層で反射された後に表示板の正面側へ向けて進行する。つまり、蓄光顔料が発光することにより、該蓄光顔料から発生した光は、無駄なく有効に、表示板の正面側へ向けて出射できるため、表示板の正面側から該表示板を目視する者は、表示板に記載されている表示を一層明るく、且つ鮮明に目視することができる。
【００２９】
又、前記表示として、文字又は，図形等の記号で構成すれば、該記号を明るく且つ、鮮明に目視できるため、該記号の意味を明確に認識することができる。
【００３０】
又、前記表示の縁に沿って縁取り部を設ければ、該縁取り部が表示の外縁に沿って縁取りするため、蓄光顔料を塗布して構成した表示を鮮明に認識することができる。
【００３１】
又、前記光反射層を光反射シートによって構成すれば、該光反射シートを基板に貼付することにより、該光反射層を容易に形成することができる。
【図面の簡単な説明】
【図１】本実施形態に係る表示板の断面図である。
【図２】本実施形態に係る表示板の正面図である。
【図３】表示板の変形例を示す正面図である。
【図４】従来技術による表示板の正面図である。
【符号の説明】
１  表示板
２  基板
３  光反射層
４  蓄光顔料
５  表示
７  縁取り部
【図１】
2005025004.tif 000003
【図２】
2005025004.tif 000004
【図３】
2005025004.tif 000005
【図４】
2005025004.tif 000006